(57)【特許請求の範囲】
【請求項１】
スイッチ操作部材の押圧により導電性のスイッチ接片を変位させ、離間して配置された第１，第２接点間を前記スイッチ接片により導通させることによってストロボ発光用のメインコンデンサに充電が開始されるようにしたストロボスイッチ装置において、
前記第２接点を挟む両側に各々電気的に接続された一対の前記第１接点が配置され、前記スイッチ接片は、弾性を有するブリッジ部と、このブリッジ部の中央部に折り曲げ形成された第２接触片と、第２接触片を挟む前記ブリッジ部の両端部に折り曲げ形成され、前記第２接触片よりも折り曲げ長が長く設定された第１接触片とからなり、前記スイッチ操作部材により前記ブリッジ部の中央部が押圧され、前記一対の第１接触片が各々前記第１接点に接触した後、前記ブリッジ部が弾性に抗して屈曲することによって前記第２接触片が前記第２接点に接触することを特徴とするストロボスイッチ装置。
【請求項２】
前記ブリッジ部が弾性に抗して屈曲する際、前記第１接触片の先端が前記第１接点上を擦ることを特徴とする請求項１記載のストロボスイッチ装置。
【発明の詳細な説明】
【０００１】
【発明の属する技術分野】
本発明はカメラやレンズ付きフイルムユニットに内蔵されるストロボ装置の充電を開始させるストロボスイッチ装置に関するものである。
【０００２】
【従来の技術】
レンズ付きフイルムユニットは、簡単な撮影機構を備えたユニット本体に予め未露光のパトローネ付きロ−ルフイルムを内蔵させたもので、カメラを携帯していなくても手軽に写真撮影を行うことができ、廉価であることや使用が簡便であること等の理由から広く利用されており、本出願人からも、各種レンズ付きフイルムユニットが販売されている。また、このようなレンズ付きフイルムユニットを、室内や夜間でも簡単に撮影が出来るように、簡易なストロボ装置を内蔵したものも本出願人より販売されている。
【０００３】
ところで、前述したようなレンズ付きフイルムユニットや、安価なコンパクトカメラ等に内蔵されるストロボ装置は、製造コストを抑えるため、コンデンサに充電を行う際にはスイッチ接片を操作するためのスイッチ操作部材を、コンデンサの充電完了まで押圧し続ける方式が多い。
【０００４】
しかし、一方では、ストロボ撮影の度にスイッチ操作部材をコンデンサの充電完了まで押圧し続ける方式では、撮影者が極めて煩わしいだけでなく、コンデンサが完全に充電されない状態でストロボ撮影が行われたり、或いはシャッターチャンスに迅速に対応できないなどという問題もある。
【０００５】
このような問題を解決するために、例えば、特願平５−２６８９８３号では、撮影者が一回だけスイッチ操作部材を押圧してスイッチ接片を閉じ、すぐにスイッチ操作部材の押圧を解除しても、メインコンデンサにはストロボ発光に必要な電圧レベルまで充電が行われるストロボ装置が詳述されている。
【０００６】
上述したようなストロボ装置を用いることにより、レンズ付きフイルムユニットや安価なコンパクトカメラ等において従来問題であった操作上の煩雑さや充電不良が解消し、ストロボ撮影への迅速な対応も可能になる。
【０００７】
【発明が解決しようとする課題】
しかしながら、前述したような、一回の短い押圧操作によりメインコンデンサに必要な電圧レベルまで充電が行われるストロボ装置をレンズ付きフイルムユニットやカメラに搭載すると、これらの輸送時の振動や、陳列販売時の外部からの押圧によりスイッチ操作部材が振動して、その度にメインコンデンサに完全に充電が行われてしまうという大きな問題が生ずる。
【０００８】
また、スイッチ操作部材をコンデンサの充電完了まで押圧し続ける方式のストロボ装置においても、スイッチ操作部材に連続して押圧力が掛かったり、度々スイッチ操作部材が振動すれば、やはり、メインコンデンサに充電が行われてしまう。
【０００９】
レンズ付きフイルムユニットやコンパクトカメラ用のストロボ装置は、小型、軽量化、またローコスト化のため、電源の容量が小さい場合が殆どである。従って、上述したように、不必要に何度もメインコンデンサに完全に充電を行ってしまうと、写真フイルムの撮影コマ数分だけ充電が行えなかったり、甚だしい場合には、全くストロボ撮影ができないという事態にもなりかねない。
【００１０】
本発明は上記従来技術の問題点を考慮してなされたもので、ストロボ装置に充電を行うストロボスイッチ装置のスイッチ操作部材に振動や外部からの軽い押圧がかかることにより、ストロボ装置の電源が不必要に消耗するのを簡単な機構でローコストに防止することを目的とする。
【００１１】
【課題を解決するための手段】
上記目的を達成するために、本発明のストロボスイッチ装置は、スイッチ操作部材の押圧により導電性のスイッチ接片を変位させ、離間して配置された第１，第２接点間を前記スイッチ接片により導通させることによってストロボ発光用のメインコンデンサに充電が開始されるようにしたストロボスイッチ装置において、前記第２接点を挟む両側に各々電気的に接続された一対の前記第１接点が配置され、前記スイッチ接片は、弾性を有するブリッジ部と、このブリッジ部の中央部に折り曲げ形成された第２接触片と、第２接触片を挟む前記ブリッジ部の両端部に折り曲げ形成され、前記第２接触片よりも折り曲げ長が長く設定された第１接触片とからなり、前記スイッチ操作部材により前記ブリッジ部の中央部が押圧され、前記一対の第１接触片が各々前記第１接点に接触した後、前記ブリッジ部が弾性に抗して屈曲することによって前記第２接触片が前記第２接点に接触することを特徴とするものである。
【００１２】
なお、前記ブリッジ部が弾性に抗して屈曲する際、前記第１接触片の先端が前記第１接点上を擦ることが好ましい。
【００１３】
【発明の実施の形態】
以下本発明の実施例を図面を参照して説明する。図２は本発明を実施したストロボスイッチ装置を内蔵したレンズ付きフイルムユニットの分解斜視図である。ユニット本体２は、本体部３と、この本体部３の前面に取りつけられる撮影機構４、本体部３の上部に取りつけられるストロボ装置５、及びこれらを前後から覆う前カバ−６、後カバ−７から構成され、内部に未露光の写真フイルムを収納する。
【００１４】
撮影機構４には、周知のシャッタ装置８、撮影レンズ９、ファインダ１１、及び撮影枚数表示板１２等が設けられている。前カバ−６の前面には、これら撮影レンズ９、ファインダ１１等を露出させる開口が設けられている。また、前カバ−６の前面下部には、後ほど詳述するストロボ装置５のスイッチ接片２５の中央に設けられた開口２６ａに挿入されるスイッチ操作部材１３が一体に設けられている。
【００１５】
前カバ−６の上面には、シャッタ装置８を動作させるレリーズボタン１４が一体に設けられ、また、撮影枚数表示板１２の一部を露出させる撮影枚数表示窓１５、及びストロボ充電完了を確認するための充電完了表示窓１６等が設けられている。
【００１６】
本体部３の中央には、露光光路であるアパーチャ１７が設けられ、その両端には、パトロ−ネ室１８、フイルムロール室１９が形成されている。そして、このパトロ−ネ室１８、フイルムロール室１９には、写真フイルムパトロ−ネと、この写真フイルムパトロ−ネから引き出されたフイルムロールが各々光密に収納される。さらに、パトロ−ネ室１８の上部には、写真フイルムパトロ−ネのスプールを回動させて、写真フイルムを巻き上げるための巻き上げノブ２１が設けられる。
【００１７】
本体部３の前面上部には、ストロボ装置５が取りつけられる。ストロボ装置５は、ストロボ回路に必要な各種部品をパターン上に半田付けしたプリント基板２２と、閃光放電管と反射鏡からなるストロボ発光部２３、及びこのストロボ装置５に電力を供給する電池２４等から構成されている。
【００１８】
図１は、本発明のストロボスイッチ装置における、コンデンサへの充電を開始させるスイッチ接片付近を示す説明図である。プリント基板２２の右下部には、前カバ−６の前面下部に設けられたスイッチ操作部材１３の押圧により操作されるスイッチ接片２５が設けられている。このスイッチ接片２５は、全体が導電性に優れた銅板により、各部が一体に折り曲げ形成されている。
【００１９】
スイッチ接片２５は、スイッチ操作部材１３により直接押圧される湾曲したブリッジ部２６、このブリッジ部２６の両端に突設される第１接触片２７ａ，２７ｂ、ブリッジ部２６の中央に設けられた開口２６ａの端部から下方に突設された第２接触片２８、フイルムロール室１９に一体に設けられた接片保持穴１９ａと係合する保持部２９、及びこの保持部２９とブリッジ部２６とを繋ぐ弾性部３０とからなっている。そして、第１接触片２７ａ，２７ｂの突出長さは、第２接触片２８よりも長く形成されている。
【００２０】
プリント基板２２上にはプリントパターンが形成されている。そして、これらのプリントパターンの内、スイッチ接片２５に向き合う部分には、図３に示すように、第１接点３１ａ，３１ｂ、及び第２接点３２が形成されている。これら第１接触片２７ａ，２７ｂと第２接触片２８とを有するスイッチ接片２５と、スイッチ操作部材１３、及び第１接点３１ａ，３１ｂ、第２接点３２により、本発明のストロボスイッチ装置１が構成される。
【００２１】
また、これらの接点に隣接して、電池２４の一方の極に接する電池接片３３が取り付けられる電池接片取り付け部３４が形成されている。第１接点３１ａ，３１ｂと、電池接片取り付け部３４とは、プリントパターン上で電気的に直接繋がっている。そして、第１接点３１ａ，３１ｂはスイッチ操作部材１３の押圧により、スイッチ接片２５の第１接触片２７ａ，２７ｂに各々接触し、また、第２接点３２は、第２接触片２８と接触する。
【００２２】
これにより、スイッチ操作部材１３を完全に押圧すると、ブリッジ部２６が湾曲し、第２接触片２８よりも突出長さの長い第１接触片２７ａ，２７ｂが第２接点３２と接触して、電気的に直接繋がっていない第１接点３１ａ，３１ｂと第２接点３２との間が、スイッチ接片２５を介して接続され、ストロボ装置５のメインコンデンサ３５に充電が開始される。
【００２３】
このような電池接片２５が用いられるストロボ装置５のストロボ回路は、図４に示すような構成になっている。このストロボ回路は、一回だけスイッチ操作部材１３を押圧してスイッチ接片２５を閉じ、すぐにスイッチ操作部材１３の押圧を解除しても、メインコンデンサ３５には必要な電圧レベルまで充電が行われるタイプのものであり、回路の詳しい構成、作用等は特願平５−２６８９８３号等に詳述されている。
【００２４】
以上のような構成のレンズ付きフイルムユニット用ストロボ装置の作用について説明する。本発明のストロボ装置が組み込まれたレンズ付きフイルムユニットを用いてストロボ撮影を行う場合には、撮影者は、まずスイッチ操作部材１３を押圧してメインコンデンサ３５に充電を行う。ストロボ装置５のスイッチ接片２５は、通常は図５（Ａ）に示すように、弾性部３０の弾性により、第１接触片２７ａ，２７ｂ及び第２接触片２８は、プリント基盤上の第１接点３１ａ，３１ｂ、第２接点３２とは各々接触しない状態になっている。
【００２５】
そして、撮影者がスイッチ操作部材１３に軽く触れると、図５（Ｂ）に示す位置までスイッチ接片２５が下がり、第１接触片２７ａ，２７ｂがプリント基盤上の第１接点３１ａ，３１ｂに接触する。しかし、第２接触片２８の突出長さは前述したように第１接触片２７ａ，２７ｂの突出長さよりも短く形成されているので、この状態では第２接触片２８は第２接点３２とは接触しない。従って、第１接点３１ａ，３１ｂと第２接点３２とは、スイッチ接片２５を介して導通しない。
【００２６】
更に撮影者がスイッチ操作部材１３を強く押圧すると、図５（Ｃ）に示すようにブリッジ部２６が湾曲し、第１接触片２７ａ，２７ｂが第１接点３１ａ，３１ｂに各々接触した状態で、第２接触片２８も第２接点３２に接触する。これにより、第１接点３１ａ，３１ｂと第２接点３２との間は、スイッチ接片２５を介して電流が流れ、メインコンデンサ３５に充電が開始される。撮影者は、この状態からすぐにスイッチ操作部材１３の押圧をやめても、ストロボ装置５は、図３に示すような回路で構成されているので、メインコンデンサ３５には必要な電圧レベルまで充電が行われる。
【００２７】
また、ブリッジ部２６が湾曲すると、第１接触片２７ａ，２７ｂの先端が第１接点３１ａ，３１ｂ上を擦るので、ストロボ充電の度に第１接点３１ａ，３１ｂの表面がクリーニングされ、酸化皮膜や油脂が除去されることにより、常に良好な導通状態に維持される。また、第２接触片２８の先端も尖っているので、第２接点３２の表面も同様にクリーニングされる。
【００２８】
そして、ストロボ充電の完了を表示する充電完了表示窓１６からランプの点灯を確認したら、ファインダ１１で撮影範囲を確認してレリーズボタン１４を静かに押圧する。するとシャッタ装置８が作動するとともに、レリーズボタン１４に連動するシンクロスイッチ３８が閉じられ、メインコンデンサ３５に蓄えられていた高圧の電流が一気に閃光放電管に流れ、ストロボ発光部２３から被写体に向けてストロボ光が照射される。
【００２９】
一方、この様なレンズ付きフイルムユニットの携帯中や、或いは出荷後の運搬時に、振動や軽い押圧が加わることがしばしば生じるが、この時、スイッチ操作部材１３を介してスイッチ接片２５が振れたり振動したりすることがある。しかし、スイッチ接片２５の第１接触片２７ａ，２７ｂの突出長は、第２接触片２８よりも長く形成されているので、スイッチ接片２５が振れても、図５（Ｂ）に示すように、第２接触片２８が第２接点３２に接触することがない。従って、第１接点３１ａ，３１ｂと第２接点３２との間に、スイッチ接片２５を介して電流が流れることがない。
【００３０】
これにより、レンズ付きフイルムユニットの輸送、陳列時や、或いは携帯時に振動や押圧が加わっても、メインコンデンサ３５に不必要な充電が行われてしまうことがない。従って、電池２４が販売前に消耗されてしまったり、撮影者が携帯時に電池２４を不必要に消耗したりすることがない。
【００３１】
なお、上述した実施形態では、スイッチ接片２５が全く押圧されない時には、第１接触片２７ａ，２７ｂは第１接点３１ａ，３１ｂと接触しない状態になっているが、スイッチ接片２５が全く押圧されない時でも、第１接触片２７ａ，２７ｂだけが第１接点３１ａ，３１ｂに接触していてもよい。
【００３２】
また、上述した実施形態では、本発明のストロボスチッチ装置をレンズ付きフイルムユニットに搭載した例を示しているが、もちろん、カメラにも全く同様に適用可能である。さらに、上述した実施形態では、一回の短い押圧操作によりメインコンデンサに必要な電圧レベルまで充電が行われるストロボ装置の例を示しているが、スイッチ操作部材をコンデンサの充電完了まで押圧し続ける方式のストロボ装置においても、全く同様に適用可能である。
【００３３】
【発明の効果】
以上のように、本発明のストロボスイッチ装置は、スイッチ操作部材の押圧により導電性のスイッチ接片を変位させ、離間して配置された第１，第２接点間をスイッチ接片により導通させることによってストロボ発光用のメインコンデンサに充電が開始されるようにしたストロボスイッチ装置において、第２接点を挟む両側に各々電気的に接続された一対の第１接点が配置され、スイッチ接片は、弾性を有するブリッジ部と、このブリッジ部の中央部に折り曲げ形成された第２接触片と、第２接触片を挟むブリッジ部の両端部に折り曲げ形成され、第２接触片よりも折り曲げ長が長く設定された第１接触片とからなり、スイッチ操作部材によりブリッジ部の中央部が押圧され、一対の第１接触片が各々第１接点に接触した後、ブリッジ部が弾性に抗して屈曲することによって第２接触片が第２接点に接触するので、ストロボ装置に充電を行うストロボスイッチ装置のスイッチ操作部材に振動や外部からの軽い押圧がかかることにより、ストロボ装置の電源が不必要に消耗するのを簡単な機構でローコストに防止することが可能になる。
【図面の簡単な説明】
【図１】本発明を実施したストロボスイッチ装置のスイッチ接片付近を示した説明図である。
【図２】本発明を実施したストロボスイッチ装置を組み込んだレンズ付きフイルムユニットを示す分解斜視図である。
【図３】本発明を実施したストロボスイッチ装置における、スイッチ接片に接触するプリントパターン上の接点を示す説明図である。
【図４】ストロボ装置の回路図である。
【図５】スイッチ接片の動きを示す説明図である。
【符号の説明】
５  ストロボ装置
２２  回路基板
２５  スイッチ接片
２６  ブリッジ部
２７ａ，２７ｂ  第１接触片
２８  第２接触片
３１ａ，３１ｂ  第１接点
３２  第２接点
【図１】
0003695723.tif 000002
【図２】
0003695723.tif 000003
【図３】
0003695723.tif 000004
【図４】
0003695723.tif 000005
【図５】
0003695723.tif 000006